(57)【要約】      （修正有）【課題】スイングの実行時に着用者の足の動作範囲を広げて、牽引力、安定性、及び快適性を向上させるゴルフ用のシューズを提供する。【解決手段】アッパー１２と、ミッドソール１４と、アウトソール１６と、爪先領域２２とを備えたゴルフ用のシューズ１０。アッパー、ミッドソール、及びアウトソールは、着用者の足を受け入れるのに適した包囲体を形成するように配置されている。爪先領域は、シューズの前部に設けられ、着用者の足指を収容するのに適し、大きな外径部２４によって区切られた斜め形状を有している。さらに、ヒールスタビライザ３４は、シューズのヒール部の周囲に延びたヒールバンドを有し、ヒールバンドは、中足領域で中足部シャンクに接続され、中足部シャンクは、ミッドソール及びアウトソールの少なくとも１つに固定され、複数のクリートは、アウトソールの底面において、シューズの使用中に最大の力を受ける領域に配置される。【選択図】図１
2020168370.tif 000002
【特許請求の範囲】
【請求項１】
アッパーと、ミッドソールと、アウトソールと、爪先領域とを備えたゴルフ用のシューズであって、
前記アッパー、前記ミッドソール、及び前記アウトソールは、着用者の足を受け入れるのに適した包囲体を形成するように配置され、
前記爪先領域は、前記シューズの前部に設けられ、着用者の足指を収容するのに適し、前記アウトソールの０よりも大きな外径部によって区切られた斜め形状を有している、ゴルフ用のシューズ。
【請求項２】
前記外径部は、約６０ｍｍ〜約８０ｍｍである、請求項１に記載のシューズ。
【請求項３】
前記外径部は、約７０ｍｍである、請求項２に記載のシューズ。
【請求項４】
前記アウトソールは、約５５ｍｍ〜約７５ｍｍの内径部を有し、
前記内径部は、前記外径部の内側に放射状に配置され、
前記内径部及び外径部は、着用者によって上方から視認可能に配置されたフロントバンドを区切っている、
請求項２に記載のシューズ。
【請求項５】
前記フロントバンド上に、前記内径部及び前記外径部の少なくとも１つと概ね共線状の方向に延びた印を更に有している、請求項４に記載のシューズ。
【請求項６】
前記アッパー上に、前記外径部及び前記内径部よりも後方に配置された線状の特徴を更に有し、
前記線状の特徴は、前記内径部及び前記外径部の少なくとも１つと概ね共線状の方向に延びている、
請求項４に記載のシューズ。
【請求項７】
前記外径部、前記内径部、及び前記線状の特徴は、前記シューズを見ている時に着用者の副尺視力を向上させるように配置された概ね共線状で複合的な複数の視覚的手がかりを定めている、請求項６に記載のシューズ。
【請求項８】
前記爪先領域は、約４インチ半の幅を有し、ゴルフのスイング中に、着用者の足指を真っ直ぐ伸ばせるようにすること、及び、着用者の足を動作できるようにすることに適した領域であって、その容積が、着用者の母指球に隣接する領域から着用者の足指の端部に隣接する領域にかけて相対的に一定である、請求項１に記載のシューズ。
【請求項９】
前記シューズのヒール部の周囲に延びたヒールバンドを有するヒールスタビライザを更に備え、
前記ヒールバンドは、中足領域で中足部シャンクと接続され、
前記中足部シャンクは、前記ミッドソール及び前記アウトソールの少なくとも１つに固定され、
前記ヒールスタビライザは、足に安定性を与える為に、着用者の足を前記シューズの内側で中心部に寄せるように構成されている、
請求項１に記載のシューズ。
【請求項１０】
前記アウトソールの底面において、前記シューズの使用中に最大の力を受ける領域に配置された複数のクリートを更に備えている、請求項１に記載のシューズ。
【請求項１１】
前記複数のクリートは、
前記シューズの爪先領域に設けられ、着用者の親指と概ね整列するように配置された第１のクリートと、
前記シューズの前足領域に設けられ、着用者の足の第１列と概ね整列するように配置された第２のクリートと、
前記シューズの後方範囲に近接する前記シューズのヒール領域の内方側に設けられた第３のクリートと、
前記ヒール領域の外方側において、前記第３のクリートの前方に設けられた第４のクリートと、
を含む、請求項１０に記載のシューズ。
【請求項１２】
前記複数のクリートのそれぞれの周囲に概ね同心円状に配置された突起部を更に備えている、請求項１０に記載のシューズ。
【請求項１３】
各突起部は、弧状のセグメントとして形成され、それぞれの同心円に沿って延びている、請求項１２に記載のシューズ。
【請求項１４】
前記突起部の弧の長さ及び前記突起部の前記アウトソールに対する高さは、各クリートから放射状に離れる方向において、変曲点まで増加し、前記変曲点を超えると、前記高さは減少する、請求項１３に記載のシューズ。
【請求項１５】
前記ミッドソール及び前記アウトソールの少なくとも１つにおいて、前記複数のクリートの１つに近接して設けられ、圧力を吸収するのに適したドロップインセグメントを更に備え、
ゴルフのスイング中、前記複数のクリートの１つが地面と接触して噛み合っている時に、前記ドロップインセグメントは、前記シューズが前記複数のクリートの１つに対してある程度回転することを許容する、
請求項１０に記載のシューズ。
【請求項１６】
前記ドロップインセグメントは、ウレタン材料から形成され、前記複数のクリートのそれぞれに対して設けられている、請求項１５に記載のシューズ。
【請求項１７】
アッパーと、ミッドソールと、アウトソールと、爪先領域と、ヒールスタビライザと、複数のクリートと、突起部とを備えたゴルフ用のシューズであって、
前記アッパー、前記ミッドソール、及び前記アウトソールは、着用者の足を受け入れるのに適した包囲体を形成するように配置され、
前記爪先領域は、前記シューズの前部に設けられ、着用者の足指を収容するのに適し、前記アウトソールの０よりも大きな外径部によって区切られた斜め形状を有しており、
前記ヒールスタビライザは、前記シューズのヒール部の周囲に延びたヒールバンドを有し、
前記ヒールバンドは、中足領域で中足部シャンクに接続され、
前記中足部シャンクは、前記ミッドソール及び前記アウトソールの少なくとも１つに固定され、
前記ヒールスタビライザは、足に安定性を与える為に、着用者の足を前記シューズの内側で中心部に寄せるように構成され、
前記複数のクリートは、前記アウトソールの底面において、前記シューズの使用中に最大の力を受ける領域に配置され、
前記突起部は、前記複数のクリートのそれぞれの周囲に概ね同心円状に配置され、
前記複数のクリートは、
前記シューズの爪先領域に設けられ、着用者の親指と概ね整列するように配置された第１のクリートと、
前記シューズの前足領域に設けられ、着用者の足の第１列と概ね整列するように配置された第２のクリートと、
前記シューズの後方範囲に近接する前記シューズのヒール領域の内方側に設けられた第３のクリートと、
前記ヒール領域の外方側において、前記第３のクリートの前方に設けられた第４のクリートと、
を含む、ゴルフ用のシューズ。
【請求項１８】
前記外径部は、約７０ｍｍであり、
前記アウトソールは、約６５ｍｍの内径部を有し、
前記内径部は、前記外径部の内側に放射状に配置され、
前記内径部及び前記外径部は、着用者によって上方から視認可能に配置されたフロントバンドを区切っており、
前記シューズは、前記アッパー上に、前記外径部及び前記内径部よりも後方に配置された線状の特徴を更に有し、
前記線状の特徴は、前記内径部及び前記外径部の少なくとも１つと概ね共線状の方向に延び、
前記外径部、前記内径部、及び前記線状の特徴は、前記シューズを見ている時に着用者の副尺視力を向上させるように配置された概ね共線状で複合的な複数の視覚的手がかりを定め、
各突起部は、弧状のセグメントとして形成され、それぞれの同心円に沿って延びている、
請求項１７に記載のシューズ。
【請求項１９】
複数のクリートと、突起部とを備えたゴルフシューズ用のソールであって、
前記複数のクリートは、アウトソールの底面において、前記シューズの使用中に最大の力を受ける領域に配置され、
前記突起部は、前記複数のクリートのそれぞれの周囲に概ね同心円状に配置され、
各突起部は、弧状のセグメントとして形成され、それぞれの同心円に沿って延び、
前記複数のクリートは、
前記シューズの爪先領域に設けられ、着用者の親指と概ね整列するように配置された第１のクリートと、
前記シューズの前足領域に設けられ、着用者の足の第１列と概ね整列するように配置された第２のクリートと、
前記シューズの後方範囲に近接する前記シューズのヒール領域の内方側に設けられた第３のクリートと、
前記ヒール領域の外方側において、前記第３のクリートの前方に設けられた第４のクリートと、
を含む、ゴルフシューズ用のソール。
【請求項２０】
前記突起部の弧の長さ及び前記突起部の前記アウトソールに対する高さは、各クリートから放射状に離れる方向において、変曲点まで増加し、前記変曲点を超えると、前記高さは減少する、請求項１９に記載のソール。
【発明の詳細な説明】
【技術分野】
【０００１】
本出願は、２０１９年４月４日に出願された米国仮出願第６２／８２９，５９９号に関し、その優先権を主張するものであり、その全体の内容が参照により本明細書に組み入れられる。
【０００２】
本開示は、運動靴に関し、より詳細には、ゴルフのスイングの準備をする時に着用者のゴルフボール及びターゲットに対する適切な位置合わせを促すとともに、ゴルフのスイングの実行時に着用者の足の動作範囲を広げて、牽引力、安定性、及び快適性を向上させるゴルフ用のシューズに関する。
【発明の概要】
【発明が解決しようとする課題】
【０００３】
ゴルフ用品及びアパレル業界は、ゴルフコース上でのパフォーマンスを向上させることを意図した設計改良の例で満ちている。このことは、ゴルフクラブ、ゴルフボール、及び教材等において容易に見られる。一方で、ゴルフのパフォーマンスに関連するゴルフの靴は、ほとんどない。より典型的には、ゴルフの靴の技術革新は、快適性、軽量化、クッション性、紐締めシステム、耐水性、及びファッション性を中心に置いているが、これらは、全て、ゴルファーがゴルフをより上手にプレーするのに直接役立つものではない。このことは、ゴルフのスイング中に足が身体における地面との唯一の繋がりであることや、ゴルフのスイング中に力の多くが足と地面との相互作用から生じることを考慮すると、好機を逸している。更に、ボール及びターゲットに対するゴルファーの位置合わせは、足と地面との接触面において確立される。これらのゴルフの重要な側面、及びそれらのパフォーマンスとの関連は、スポーツデザイナーや技術者によって大いに見過ごされてきた。一方で、現在のゴルフの靴の設計は、親指をシューズの中心に向けて寄せる傾向があり、足の動作範囲を制限して、全身の安定性に影響を与えている。加えて、現在のゴルフの靴の設計は、ゴルフのスイング中に足とシューズと地面との間で生じる圧力の集中する領域に対処できておらず、ゴルファーがボールを置いてゴルフのスイングの準備をする時に効果的に位置合わせを支援するものはない。
【課題を解決するための手段】
【０００４】
本明細書に提供されるゴルフ用のシューズは、アッパーと、ミッドソールと、アウトソールと、爪先領域とを備え、
前記アッパー、前記ミッドソール、及び前記アウトソールは、着用者の足を受け入れるのに適した包囲体を形成するように配置され、
前記爪先領域は、前記シューズの前部に設けられ、着用者の足指を収容するのに適し、前記アウトソールの０よりも大きな外径部（outer radius）によって区切られた斜め形状を有している。
【０００５】
更なる実施形態では、本明細書に提供されるゴルフ用のシューズは、アッパーと、ミッドソールと、アウトソールと、爪先領域と、ヒールスタビライザと、複数のクリートと、突起部とを備え、
前記アッパー、前記ミッドソール、及び前記アウトソールは、着用者の足を受け入れるのに適した包囲体を形成するように配置され、
前記爪先領域は、前記シューズの前部に設けられ、着用者の足指を収容するのに適し、前記アウトソールの０よりも大きな外径部によって区切られた斜め形状を有しており、
前記ヒールスタビライザは、前記シューズのヒール部の周囲に延びたヒールバンドを有し、
前記ヒールバンドは、中足領域で中足部シャンクに接続され、
前記中足部シャンクは、前記ミッドソール及び前記アウトソールの少なくとも１つに固定され、
前記ヒールスタビライザは、足に安定性を与える為に、着用者の足を前記シューズの内側で中心部に寄せるように構成され、
前記複数のクリートは、前記アウトソールの底面において、前記シューズの使用中に最大の力を受ける領域に配置され、
前記突起部は、前記複数のクリートのそれぞれの周囲に概ね同心円状に配置され、
前記複数のクリートは、
前記シューズの爪先領域に設けられ、着用者の親指と概ね整列するように配置された第１のクリートと、
前記シューズの前足領域に設けられ、着用者の足の第１列（first ray）と概ね整列するように配置された第２のクリートと、
前記シューズの後方範囲に近接する前記シューズのヒール領域の内方側（medial side）に設けられた第３のクリートと、
前記ヒール領域の外方側（lateral side）において、前記第３のクリートの前方に設けられた第４のクリートと、
を含む。
【０００６】
また、本明細書に提供されるゴルフシューズ用のソールは、複数のクリートと、突起部とを備え、
前記複数のクリートは、アウトソールの底面において、前記シューズの使用中に最大の力を受ける領域に配置され、
前記突起部は、前記複数のクリートのそれぞれの周囲に概ね同心円状に配置され、
各突起部は、弧状のセグメントとして形成され、それぞれの同心円に沿って延び、
前記複数のクリートは、
前記シューズの爪先領域に設けられ、着用者の親指と概ね整列するように配置された第１のクリートと、
前記シューズの前足領域に設けられ、着用者の足の第１列と概ね整列するように配置された第２のクリートと、
前記シューズの後方範囲に近接する前記シューズのヒール領域の内方側に設けられた第３のクリートと、
前記ヒール領域の外方側において、前記第３のクリートの前方に設けられた第４のクリートと、
を含む。
【図面の簡単な説明】
【０００７】
本開示をより完全に理解する為に、添付の図面及び詳細な記述に関連して、以下の簡単な記述がなされており、同様の符号は、同様の部品を表している。
【０００８】
【図１】図１は、例示的な一実施形態に係るゴルフ用のシューズの斜視図である。
【図２】図２は、図１のシューズの下面図である。
【図３】図３は、図１のシューズの上面図である。
【図４】図４は、図１のシューズの別の下面図である。
【図５】図５は、図１のシューズの側面図である。
【図６】図６は、図１のシューズの反対側の側面図である。
【図７】図７は、図１のシューズの正面図である。
【図８】図８は、図１のシューズの背面図である。
【図９】図９は、図１のシューズの部分拡大正面図である。
【図１０】図１０は、図１のシューズのミッドソール及びアウトソールを示す底面及び側面の外形図である。
【図１１】図１１は、図１のシューズのミッドソール、アウトソール、複数のクリート、及びヒールスタビライザを示す部分的な分解図である。
【図１２】図１２は、図１のシューズのアウトソールの底面を示す部分拡大図である。
【図１３】図１３は、図１のシューズのミッドソール、アウトソール、複数のクリート、ヒールスタビライザ、及び複数のドロップインセグメントを示す部分的な分解図である。
【図１４】図１４は、図１のシューズのアウトソールを示す下面図、及び対応する断面図である。
【発明を実施するための形態】
【０００９】
図１〜図８は、本開示の例示的な一実施形態におけるゴルフシューズ１０を示す図である。説明を容易にする為に、ゴルフシューズ１０は、着用者の左足に適した構成として例示されている。幅広い開示は、右足用に構成されたシューズを含む。右足用に構成されたシューズにおいて、本明細書に記載された様々な特徴及び構成部品は、本明細書と反対に配置されている。シューズ１０は、アッパー１２と、ミッドソール１４と、アウトソール１６とを備えている。アッパー１２は、合成又は天然材料、或いはそれらの混合物を含む。アッパー１２は、接着、溶着、成形技術、又は、使用中にアッパー１２がミッドソール１４に確実に固定され続けるのに十分な他の手段によって、ミッドソール１４に固定されている。同様に、ミッドソール１４は、確実に固定するのに十分な手段によって、アウトソール１６に貼り付けられている。異なる実施形態では、アッパー１２は、アウトソール１６に直接固定されている。ミッドソール１４は、アッパーの内側に配置され、アッパーとアウトソールの両方に貼り付けられている。更に異なる実施形態では、ミッドソール１４及びアウトソール１６は、単一のユニットとして形成されるとともに、アッパーは、一体のミッドソール／アウトソール構造体の上に分離して配置されている。この配置において、アッパー１２は、一体のミッドソール／アウトソール構造体に対して、成形、溶着、接着、又は、他の方法によって貼り付けられてもよい。着用者の快適さを向上させる為に、シューズ１０は、ミッドソール１４の上でアッパー１２の内側に設けられたインソールを更に備えてもよい。
【００１０】
アッパー１２は、着用者が足をシューズ１０に挿入する為の開口部１８と、着用者が足の周囲にシューズ１０を固定できるようにする為の紐締めシステム等の閉鎖構造（closure arrangement）２０と、を備えている。
【００１１】
アッパー１２、ミッドソール１４、及びアウトソール１６は、シューズ１０に斜め形状の爪先領域２２を与えるように構成されている。アウトソール１６は、爪先領域２２に、シューズ１０の最も前方の縁部を定める最外周部（outermost perimeter）を有している。この縁部は、本明細書では外径部（outer radius）２４と呼ばれ、直線状ではなく、ある程度の湾曲を有している。すなわち、外径部２４は、０ｍｍよりも大きく、好ましくは約６０ｍｍ〜約８０ｍｍの長さを有している。例示的な一実施形態では、外径部２４の長さは、約７０ｍｍであって、シューズ１０の前部に、ある程度平坦化された外観を与えている。外径部２４の後方で且つ内側にある放射状の爪先領域２２において、アウトソール１６は、第２の周囲の縁部を有している。この縁部は、本明細書では内径部（inner radius）２６と呼ばれ、直線状ではなく、ある程度の湾曲を有している。すなわち、内径部２６の長さは、０ｍｍよりも長く、好ましくは約５５ｍｍ〜約７５ｍｍである。例示的な一実施形態では、内径部２６は、約６６ｍｍである。外径部２４及び内径部２６は、シューズ１０の爪先領域２２に斜めの外観を与えているが、わずかに湾曲しており、角ばってはいない。
【００１２】
特に図１、図３、図５に見られるように、シューズ１０の前端部において、アウトソール１６は、後方へ傾斜している。したがって、アウトソール１６の外径部２４は、内径部２６の前方にある。外径部２４と内径部２６との間の部分は、本明細書ではフロントバンド２８と呼ばれ、着用者によって上方から視認可能である。図９に見られるように、フロントバンド２８は、ブランド名又はロゴ、或いは、シンボル、パターン、カラーバリエーション等のような印を有してもよい。図示の実施形態では、フロントバンド２８は、概ね線状の様式で配置された文字３０を有している。本明細書では、「線状（linear）」及び「線（line）」という用語は、概ね動点の軌跡を指すのに用いられる用語であって、全種類の線及び線状の特徴（真っ直ぐ、湾曲、及びそれらの組み合わせ等）を含むことが意図されている。シューズ１０の爪先領域２２は、アッパー１２上に配置された線状の特徴３２を有している。線状の特徴３２は、シューズ上を実質的に横断するように、約４０ｍｍ〜約６０ｍｍに渡って延びている。一実施形態では、線状の特徴３２は、約５０ｍｍに渡って延びている。図示のように、線状の特徴３２は、アッパー１２の継ぎ目によって区切られている。或いは、線状の特徴３２は、プリントされた線、グラフィック、文字、シンボル、他の印、及びホットメルトライン等によって形成され得る。
【００１３】
外径部２４、内径部２６、フロントバンド２８上の印、及び線状の特徴３２は、着用者によってシューズ１０の上方から視認可能な一連の対応する線を形成する。本明細書において、これらの対応する線は、集合的に「線状の要素」と呼ばれる。これらの線状の要素は、半径の長さ及び形状が異なるにも関わらず、概ね共線状、同心的、及び／又は、ある程度平行にあるように見える。一連の線状の要素は、複合的で平行な視覚的手がかりを生成し、足を見ている時に着用者の副尺視力を向上させる。副尺視力とは、視覚心理物理学において、平行線同士のずれを視認する過程を指す。副尺視力の検出限界は、弧の約１０〜３０秒を検出する程度である。この検出限界は、認識視力のような他種のいかなる視力タスクよりも１０倍程度優れている。副尺視力の測定は、異なる輝度の区画を分ける縁部において、ちょうど識別可能なずれを見出すことによって行われる。この刺激のコントラストは、次の式によって特定される。
【００１４】
【数１】
2020168370.tif 000003
【００１５】
式中、Ｌｓｔｉｍは、刺激の輝度であり、Ｌｓｕｒは、周囲の背景の輝度である。
【００１６】
コントラストに対する副尺視力の検出限界は、弧の約４〜５秒である。
【００１７】
シューズ１０の爪先領域２２にある一連の線状の要素は、方向的な超視力（hyperacuity）を生み出す。方向的な超視力は、ターゲットに対する照準合わせ、及び、ゴルフのスイングの準備におけるゴルフボールに対する身体の位置合わせを支援する為に、着用者によって利用され得る。ゴルフのスイング中の適切なボディポジショニング（すなわち、位置合わせ）は、重要な基本的タスクであって、スイングの終始に渡って、身体及びゴルフクラブの適切な動作を可能にして、ボールに対する効果的な接触及び正確な方向付けを促す。典型的に、ゴルフにおける位置合わせは、ボールからターゲットに延びる線路を想定することによって教示される。この想定において、ボール及びクラブヘッドは、外側の線路上にあり、クラブヘッドは、ターゲットに向けられる。ゴルファーの足は、内側の線路上に位置し、線路に対して概ね直角に配置される。
【００１８】
シューズ１０の爪先領域２２上にある一連の線状の特徴は、脳の超視力を活性化するのに役立ち、ゴルファーの足の適切な配置、及び、意図したターゲットに対する身体及びクラブヘッドの効果的な位置合わせ及び照準合わせを支援する。すなわち、シューズ１０の爪先領域２２にある横断的な一連の線状の要素は、着用者の副尺視力を活性化するように空間的に配置され、着用者の脳は、照準の直線度をより良く知覚できるようになる。このことによって、着用者は、足、身体、及びクラブヘッドを、上述の「線路」に沿ってより正確に且つより一貫して位置合わせできる。例示的で非限定的な一実施形態では、様々な線状の要素の空間的な配置が最適化されるのは、外径部２４から内径部２６までの距離Ｄ１が約５ｍｍ〜約８ｍｍ（図６参照）であり、内径部２６から線状の特徴３２までの距離Ｄ２が約１２ｍｍ〜約１６ｍｍであり、フロントバンド２８が外径部２４に近接した側から内径部２６に近接した反対側までの高さＨを有し、高さＨが約４ｍｍ〜約６ｍｍであり、フロントバンド２８が約７ｍｍ〜約１０ｍｍの表面幅Ｗ（図１参照）を有する場合であることが見出されている。
【００１９】
ゴルフシューズ１０は、実質的に共線状又は同心的な縁部と、シューズの爪先領域の前部に体系的且つ空間的に配置された印との対比の形式で、複合的な一連の視覚的手がかり２４，２６，２８，３０，３２を有している。それらは、脳の超視力を活性化するのに役立ち、意図したターゲットに関連するゴルファーの身体の適切なポジショニングを支援する。縁部及び平行線は、以下の任意の組み合わせを有する爪先領域のソールエリアを形成することによって形成され得る：最も外側の水平な縁部；内側の水平な縁部；爪先領域内にソールとアッパーとの交線によって形成された縁部；ソールに対する印の配置又はエンボス加工；シューズの爪先領域においてアッパーによって区切られた水平な縁部又は線；コーティング又は厚さの程度が異なる部材によって形成された縁部又は線；縁部又は線を生成するような文字の使用；水平な縁部又は線を形成するようなアッパー上のエンボス加工、及び、縁部又は線を形成するようなコントラストを生成する色の使用。
【００２０】
本明細書では、シューズ１０の爪先領域２２に配置された様々な線状の要素は、アウトソール１６の内側及び外側の縁部と、文字３０と、継ぎ目の線状の特徴３２とによって形成されるような例によって説明されている。爪先領域２２又はシューズ１０の他の場所において、線状の要素は、横断的な線状の、又は概ね線状の副尺視力に寄与する効果を生成するのに適した任意の手段によって形成されることができる。例えば、線状の特徴は、色のコントラスト、印のプリント、縫製技術、異なる布地又は部材の交線部、シューズ紐、スタイル線、文字、部材の厚さの対比、エンボス加工、ホットメルト、及び表面処理の任意の組み合わせ又は変更によって形成され得る。
【００２１】
図１０は、アウトソール１６の下面図と、アウトソール１６上に設けられたミッドソール１４、及び、ミッドソール１４の上に設けられたヒールスタビライザ３４を示す側面図とを含む。図１１では、アウトソール１６、ミッドソール１４、ヒールスタビライザ３４、及びクリート４６を示す分解図が提供されている。ヒールスタビライザ３４は、中足部シャンク３６を備えている。中足部シャンク３６は、ミッドソール１４の受入部３８に受入及び保持されるように構成され、ミッドソール及び／又はその下のアウトソール１６に貼り付けられ得る。ヒールスタビライザ３４は、着用者のヒール（踵）を囲うように中足部シャンク３６から延びたヒールバンド４０を更に有している。ヒールバンド４０の片側は、シューズ１０のアーチ領域内へ走り下り、そこで中足部シャンク３６と接続している。ヒールバンド４０の反対側は、中足部シャンク３６との接続部まで、シューズ１０の外側部を通過している。ヒールバンド４０の下縁部４２は、ミッドソール１４に貼り付けされ、反対側のヒールバンド４０の上縁部４４は、アッパー１２に貼り付けられている（例えば、図６参照）。一実施形態では、ヒールスタビライザ３４は、１つの部品であって、中足部シャンク３６がミッドソール１４の受入部３８を通過し、シューズ１０のアウトソール１６に固定されている一体構造である。ヒールスタビライザ３４及び中足部シャンク３６は、成形された外部カウンタを構成し、ヒールスタビライザは、着用者の足を中心部に寄せて支持するプラットフォームを創出する。これは、フィット性及びパフォーマンスを向上させ、同様に、不安定性に関連して起こり得る怪我の回避に役立つ。ヒールバンド４０及び中足部シャンク３６は、非対称な輪形を本質的に定めており、その輪形は、ヒールの側部にコントロールを加えるとともに、アーチ領域内の柔軟性を高めている。例示的な本実施形態では、ヒールスタビライザ３４は、シューズ１０の内側で着用者の足を中心部に寄せるように構成されたプラスチックの硬質部品であり、より優れた快適性及び大きな動作範囲を与え、転倒による怪我を防止するのに役立つ。異なる実施形態では、ヒールスタビライザ３４は、カーボン、ポリマー材料、又は、本明細書に記載のようにシューズ１０の内側で足を中心部に寄せて足に安定性を与えるのに概ね十分な任意の材料によって、形成され得る。
【００２２】
図１０、図１１は、アウトソール１６の底面における複数のクリート４６の配置も示している。図示の実施形態では、シューズ１０は、６つのクリート４６ａ，４６ｂ，４６ｃ，４６ｄ，４６ｅ，４６ｆを備えている。クリート４６ａ〜４６ｃは、アウトソール１６の前部の前足領域に配置される一方で、クリート４６ｄ〜４６ｆは、アウトソール１６の後方のヒール領域に配置されている。クリート４６は、着用中（特に、ゴルフのスイング中）に最大の圧力がかかる足の領域の直下に、戦略的に配置されている。クリート４６ａ，４６ｂ，４６ｄ，４６ｅは、ゴルフのスイング中に最大の圧力を受ける領域に設けられている。これらのクリート４６ａ，４６ｂ，４６ｄ，４６ｅ及び／又はそれらの周囲の領域は、最大の圧力の領域であることを明示する為に、赤色又は他の特定の色、又は、複数の色、及び／又は、文字、グラフィック、印等によって識別されてもよい。クリート４６ａ，４６ｂ，４６ｄ，４６ｅは、最大の圧力に耐えたり、着用者の安定性及び牽引力を向上させたりする為に、圧縮性を高められたり、或いは、他のクリート４６と異なる形状又はサイズを有してもよい。
【００２３】
図示の例では、クリート４６ａは、シューズ１０のアウトソール１６の爪先領域２２に設けられ、シューズ１０の着用者の親指に近接するように配置されている。クリート４６ｂは、アウトソール１６の前足領域に設けられ、シューズ１０が着用された時に、第１列（first ray）、すなわち、親指の骨に近接するように配置されている。クリート４６ｄ，４６ｅは、両方ともアウトソール１６のヒール領域に設けられている。クリート４６ｄは、ヒール領域の後方範囲に向かってシューズ１０の内方側（medial side）に設けられ、クリート４６ｂと概ね整列している。クリート４６ｅは、シューズ１０の外方側（lateral side）において、クリート４６ｄの前方に設けられている。一般に、クリート４６は、シューズ１０の全体的な安定性を向上させる為に、アウトソール１６の外縁部（内方及び外方）に接近して配置される。
【００２４】
更に、アウトソール１６は、外側に突出した一連の突起部４８を備え、一連の突起部４８は、クリート４６と関係して配置されている。図示の例では、突起部４８は、数個のクリート４６のそれぞれの周囲に広がる同心円をトレースするように配置された弧形状のセグメントである。例えば、図４、図１０、及び図１２を参照。突起部４８は、内弧壁５０と、外弧壁５２と、対向する側壁５４，５６と、接地面５８とを有している。壁５０，５２，５４，５６は、アウトソール１６から概ね垂直に延びるように配置されてよく、接地面５８は、壁５０，５２，５４，５６に対して直交的に配置され、アウトソール１６の表面と概ね平行である。異なる実施形態では、壁５０，５２，５４，５６の１つ以上は、アウトソール１６から非垂直に、すなわち、アウトソール１６の表面に対して９０度よりも大きい又は小さい角度で延びてもよい。同様に、接地面５８は、アウトソール１６の表面に対して平行でないような角度で配置されてもよい。様々な突起部４８は、アウトソール１６の表面から類似の距離を均一に延びてもよい。或いは、突起部４８がソールから延びる距離は、シューズ１０の底面に渡って異なってもよい。すなわち、突起部の高さは、特定の突起部がシューズ１０の底面から延びる距離であって、アウトソール１６の全長に渡って異なってもよい。特定の突起部４８において、壁５０，５２，５４，５６の大きさは、等しくても異なってもよい。１つの突起部４８とその隣の突起部４８との間で、壁５０，５２，５４，５６のそれぞれの大きさ、及びアウトソール１６に対する角度は、等しくても異なってもよい。本明細書に記載のように、突起部４８は、不均一な地面上でより強い牽引力を与える為に、アウトソール１６の表面に対して異なる高さを有している。突起部４８は、アウトソール１６の表面から約１．５ｍｍ〜約３．０ｍｍの距離を概ね延びている。一実施形態では、突起部の高さは、荷重分布と接地との関数であり、突起部の高さは、荷重及び接地が最大になる場所で最大になる。
【００２５】
数個のクリート４６の周囲に同心円状に配置された弧状のセグメントのような突起部４８の構成は、ゴルフのスイング中を通じて、着用者の足の適切な動作を容易にしている。ゴルフのスイング中に、足は、ある程度の回転動作を有している。円状に配置された突起部４８は、牽引力及び安定性を与え続ける一方で、足の回転的なピボッティングを可能にしている。このことは、ゴルフのスイングのフォロースルー、すなわち、スイングのうちゴルフボールに接触した後の部分において、特に有利である。ゴルフのスイングにおける前記部分の間、ゴルファーの臀部及び上半身は、静止したボールが置かれた位置に概ね面する体位から、ターゲットに面する体位に回転する。臀部及び上半身の９０度に近い回転を容易にする為に、ゴルファーの前方の足及び特に後方の足も、ターゲットの方向に回転する。ゴルファーの足の回転を阻害すると、足首及び膝に痛み及び／又は怪我が引き起こされ得る。突起部４８の円状のパターンは、必要とされる牽引力及び安定性を与え続ける一方で、ゴルファーの足の回転を可能にし、促進する。
【００２６】
また、突起部４８は、クリート４６から放射状に延びた光線のように配置されているように見られてもよい。図１２に見られる例示的な線部６０は、弧形状のセグメントのように配置された一連の突起部４８を備えている。一連の突起部４８では、各クリート４６からの距離が増加するにつれ、突起部４８の側壁５４と側壁５６との間の距離が増加する。例示的な一実施形態では、突起部４８がアウトソール１６の表面から延びる距離は、突起部４８の各クリート４６からの距離とともに、変曲点６２まで増加し、変曲点６２の後、外側に放射状にある突起部４８では、減少する。
【００２７】
前述のように、クリート４６ａ，４６ｂ，４６ｄ，４６ｅは、クリートの上に加えられる下向きの回転的な力によって、ゴルフのスイング中に最大の圧力及び負荷を受ける。例示的な一実施形態では、シューズ１０は、ドロップインセグメント６４を更に備えている。ドロップインセグメント６４は、アウトソール１６及び／又はミッドソール１４において、クリート４６ａ，４６ｂ，４６ｄ，４６ｅの１つ以上に近接して配置されている。図１３及び図１４を参照。ドロップインセグメント６４は、アウトソール１６の形成に用いられた材料よりも柔らかく、圧縮可能な材料から形成されている。このように、ドロップインセグメント６４は、クリート４６ａ，４６ｂ，４６ｄ，４６ｅにかかる下向きの圧力の少なくとも一部を吸収するのに十分な任意の材料によって形成されている。一例では、ドロップインセグメント６４は、ウレタンから形成され、その高さは、約２〜４ｍｍであり、その直径は、約３５ｍｍである。
【００２８】
ドロップインセグメント６４を形成する材料は、ゴルフのスイング中、クリート４６ａ，４６ｂ，４６ｄ，４６ｅの少なくとも数個が接地している時に、シューズがピボッティングできるように構成されている。ゴルファーがスイングを実行する際、バックスイング中、すなわち、ゴルフボールを打つ準備において初めにゴルファーがゴルフクラブを引き戻す時に、クリート４６ａ，４６ｂ，４６ｄ，４６ｅには、回転的な圧力がかかる。この動作中、クリート４６ａ，４６ｂ，４６ｄ，４６ｅの大部分は、芝を掴み、芝に固定されている。ドロップインセグメント６４を形成するより軟質な材料は、ゴルファーの前記動作中にゴルフシューズ１０及び足の僅かなピボッティングを可能にし、接地しているクリート４６ａ，４６ｂ，４６ｄ，４６ｅに対してトルクを発生させる。ゴルフのスイングの最上点、すなわちゴルフクラブが後方への移動において最も遠い頂点にある時に、このトルクは、最大になる。このトルクは、ゴルファーがクラブヘッドをボールに向けて動かし始める時に解放され、前方への運動量及びクラブヘッドの速度を有利に増加させる。ドロップインセグメント６４によって提供される回転的なピボッティングは、ゴルファーの足首及び膝における負荷及び痛みを低減するのに役立つ。
【００２９】
図１３に示した実施形態では、ヒールスタビライザ３４の中足部シャンク３６は、ミッドソール１４の受入部３８、及び、対応するアウトソール１６の受入部３９を通じて延びている。受入部３８，３９において、中足部シャンク３６は、接着、溶着、ボンディング、又は、ヒールスタビライザ３４をミッドソール１４及びアウトソール１６に固定するのに十分な他の技術によって、ミッドソール１４及びアウトソール１６にそれぞれ固定されている。中足部シャンク３６の下面部は、アウトソール１６の下面部から受入部３９を通じて視認可能である。図１４を参照。この中足部シャンク３６の視認可能な領域は、印、文字、グラフィック、色、輪郭等、又は、それらの任意の組み合わせのような表面の特徴４１を有してもよい。図１３に戻ると、シューズは、中足部ドロップインセグメント６６を更に備えてもよい。中足部ドロップインセグメント６６は、ヒールスタビライザ３４の中足部シャンク３６を覆い、受入部３８の周囲に形成された輪郭領域６８に受入及び保持されるように、成形及び構成されている。中足部ドロップインセグメント６６は、上方から平面視した時に直線形状を有し、輪郭領域６８内に配置し易くする為に、輪郭領域６８と対応するように成形された下面部を有している。中足部ドロップインセグメント６６によって、シューズ１０のアーチ領域に、快適性及び追加的な支持が与えられる。
【００３０】
図１４は、アウトソール１６の表面に対する突起部４８の例示的な高さを示す図である。図示のように、突起部の高さは、約１．５ｍｍ〜約３ｍｍの間で異なる。図１２を参照して説明したように、突起部の高さは、クリート４６から放射状に離れる距離が増加するにつれ、変曲点６２まで増加し、最大の高さである３ｍｍに達する。その後、突起部の高さは、２ｍｍ及び１．５ｍｍに減少する。図１４は、ドロップインセグメント６４，６６の位置を示すミッドソール１４及びアウトソール１６の複数の断面図も示している。本図及び前図に見られるように、ミッドソール１４は、ドロップインセグメント６４，６６を受け入れる為の穴部７０を有している。クリート４６と整列しているドロップインセグメント６４は、各クリート４６に対応したアンカー７２の直上に配置されている。ドロップインセグメントは、直接アンカー７２に接続されるか、又は、アンカーが接続されているアウトソール１６の下側部に接続されてもよい。中足部ドロップインセグメント６６は、ヒールスタビライザ３４の中足部シャンク３６と接触し、その上方に配置されている。
【００３１】
シューズ１０の斜め形状の爪先領域２２は、着用者の足指部位に追加的な空間を提供する為に、従来のゴルフシューズよりも幅が広くなっている。従来のゴルフシューズは、狭い爪先領域を有し、その幅は、シューズの前部に向かう方向に劇的に減少している。この構造は、着用者の足指（特に、親指）をシューズの中心線に向けて曲げる構造であり、着用者の足指部位が占める全体的な空間を減少させることによって、安定性を低下させ、ゴルフのスイング中に足及びシューズの動作を制限している。足の第１列（すなわち、親指の骨）は、静止姿勢において体重の４０％を支持することが知られており、それが適切に機能することは、効果的な歩行に不可欠である。従来のゴルフシューズは、第１列を締めつけ、その重要な機能に干渉している。
【００３２】
一実施形態では、シューズ１０の爪先領域２２は、従来のゴルフシューズの幅よりも約１０〜１５％広い幅を有している。シューズ１０の爪先領域２２は、従来のシューズよりも約１２．５％広いことが好ましい。例えば、シューズ１０の爪先領域２２は、米国サイズ１０〜１１の男性用シューズの場合、４インチ半の幅を有している。一方で、同様のサイズの従来のゴルフシューズは、爪先／前足領域において４インチの幅しか有していない。シューズ１０の形状を維持する為に、前足部は、テーパ状で且つ斜めであり、丸みの少ない爪先領域２２が形成されている。前足領域に追加された空間によって、足は、ゴルフのスイング中に最大限の動作範囲で動作でき、また、接地する基部が大きくなる為、優れた安定性及び接地が実現する。シューズ１０の拡張された前足領域は、着用者の足指が前方方向に真っ直ぐ伸びることを許容し、着用者の足指は、従来のゴルフシューズのように、押し縮められたり中心線に向けられたりしない。このことは、第１列が適切に機能することを促進するとともに、バランス性及び安定性を向上させ、足がゴルフのスイング中にシューズ１０の内部である程度動作することを可能にする。
【００３３】
一実施形態では、爪先領域２２の内部容積は、シューズ１０が着用された時に着用者の母指球が配置される領域から、着用者の足指の端部が配置される領域まで、相対的に一定である。例えば、図４に示したように、母指球部位は、クリート４６ｂに近接して配置され、足指部位の端部は、クリート４６ａに近接して配置されている。すなわち、クリート４６ｂの後方側からクリート４６ａの前方側において、爪先領域２２の内部容積は、相対的に一定である。このことによって、前足部位は、着用者の体重がヒールから足指に移動する時に自然に動作でき、また、爪先領域２２がテーパ状でなく、足の前部を不快な配置に制限しない為、足が体重を均等に分散させ易くなる。
【００３４】
シューズ１０の爪先領域２２の前縁部は、着用者の親指の領域から、他の小さい足指を収容する領域に向かって拡張されている。このことによって、爪先領域２２の内部容積が増加し、ウォーキング及びプレー中（特に、ゴルフのスイング中）の動作の自由度が向上する。例えば、図１、図３、及び図５等に見られるように、爪先領域２２の前記前縁部は、アウトソール１６の内径部２６によって概ね定められている。爪先領域２２の内部容積は、シューズ１０の爪先領域２２の内側において、着用者の足の第１列に正接して、内方側から外方側へ増加している。
【００３５】
本明細書のゴルフシューズには、シューズの前部に、斜めの外観を有する爪先領域が設けられている。本明細書では、この構造の利点が記述されている。シューズの起点である爪先が斜めでほぼ角ばっていることは、シューズを前部からヒール部に向かって移動するように見た場合に、均整の取れた外見を促す。この構造によって、魅力的且つバランスの取れた外観を維持しつつ、安定性及びバランス性を向上させる為に、母指球の下のシューズの基部を拡張できる。
【００３６】
本発明の様々な実施形態は、関連する図面の参照と共に、本明細書に記述されている。異なる実施形態は、本発明の範囲から逸脱することなく考えられ得る。以下の記述及び図面では、部材の間に様々な接続及び位置関係（例えば、上方、下方、隣接等）が規定されている。特に指定がない限り、これらの接続及び／又は位置関係は、直接的又は間接的であり得る。この点について、本発明は、限定することを意図していない。したがって、実在物同士の接続は、直接的又は間接的な接続のいずれも指すことができ、実在物同士の位置関係は、直接的又は間接的な位置関係のいずれでもあり得る。
【００３７】
本明細書において、「例示的」という用語は、「例（example）、実例（instance）、又は例解（illustration）として役立つ」ことを意味する為に使用されている。本明細書において「例示的」として記述された実施形態又は設計は、他の実施形態又は設計よりも好ましい、又は有利であると解釈される必要はない。「少なくとも１つ」及び「１つ以上」という用語は、１と等しいか、又は、１よりも大きな任意の整数（すなわち、１、２、３、４等）を含むと理解される。「複数」という用語は、２と等しいか、又は、２よりも大きなあらゆる整数（すなわち、２、３、４、５等）を含むと理解される。「接続される」、「貼り付けられる」等の用語は、直接的な「接続」及び間接的な「接続」の両方を含むことができる。
【００３８】
例解の目的の為に、本発明の様々な実施形態の記述が提示されたが、これらの記述は、網羅的であること、又は、開示された実施形態に限定することを意図するものではない。当業者に対しては、記載の実施形態の範囲及び意図から逸脱することなく、多数の変形及び変更が明らかである。本明細書で使用された専門用語は、実施形態の原理、実践的な適用、又は、市場で見られる技術に対する技術的進歩を最もよく説明するように、或いは、他の当業者が本明細書で開示されている実施形態を理解できるように、選択されている。
【図１】
2020168370.tif 000004
【図２】
2020168370.tif 000005
【図３】
2020168370.tif 000006
【図４】
2020168370.tif 000007
【図５】
2020168370.tif 000008
【図６】
2020168370.tif 000009
【図７】
2020168370.tif 000010
【図８】
2020168370.tif 000011
【図９】
2020168370.tif 000012
【図１０】
2020168370.tif 000013
【図１１】
2020168370.tif 000014
【図１２】
2020168370.tif 000015
【図１３】
2020168370.tif 000016
【図１４】
2020168370.tif 000017
【外国語明細書】
2020168370.tif 000018
2020168370.tif 000019
2020168370.tif 000020
2020168370.tif 000021
2020168370.tif 000022
2020168370.tif 000023
2020168370.tif 000024
2020168370.tif 000025
2020168370.tif 000026
2020168370.tif 000027
2020168370.tif 000028
2020168370.tif 000029
2020168370.tif 000030
2020168370.tif 000031
2020168370.tif 000032
2020168370.tif 000033
2020168370.tif 000034
2020168370.tif 000035
2020168370.tif 000036
2020168370.tif 000037
2020168370.tif 000038
2020168370.tif 000039
2020168370.tif 000040
2020168370.tif 000041
2020168370.tif 000042
2020168370.tif 000043
2020168370.tif 000044
2020168370.tif 000045
2020168370.tif 000046
2020168370.tif 000047
2020168370.tif 000048
2020168370.tif 000049
2020168370.tif 000050
2020168370.tif 000051